(57)【要約】【課題】印字される文字のポイント数を使用者が容易に認識可能とする。【解決手段】実施形態のラベル印字装置は、印字デバイス、記憶デバイス、選択手段、判定手段、印字制御手段、算出手段および報知手段を備える。印字デバイスは、ラベルに印字する。記憶デバイスは、大きさが異なる複数種類のビットマップフォントを記憶する。選択手段は、複数種類のビットマップフォントのうちの１つを選択する。判定手段は、印字倍率を判定する。印字制御手段は、印字対象となる文字を、選択手段が選択した種類のビットマップフォントを用い、判定手段が判定した印字倍率で拡大または縮小してラベルに印字するよう印字デバイスを制御する。算出手段は、印字デバイスが印字する文字の大きさをポイント数として算出する。報知手段は、算出手段が算出したポイント数を使用者に報知するための報知動作を行う。【選択図】      図１
2014151467.tif 000002
【特許請求の範囲】
【請求項１】
ラベルに印字する印字デバイスと、
大きさが異なる複数種類のビットマップフォントを記憶する記憶デバイスと、
前記複数種類のビットマップフォントのうちの１つを選択する選択手段と、
印字倍率を判定する判定手段と、
印字対象となる文字を、前記選択手段が選択した種類のビットマップフォントを用い、前記判定手段が判定した印字倍率で拡大または縮小して前記ラベルに印字するよう前記印字デバイスを制御する印字制御手段と、
前記印字デバイスが印字する文字の大きさをポイント数として算出する算出手段と、
前記算出手段が算出したポイント数を使用者に報知するための報知動作を行う報知手段とを具備したことを特徴とするラベル印字装置。
【請求項２】
前記算出手段は、前記印字デバイスが印字する文字の縦方向および横方向の大きさをそれぞれ算出することを特徴とする請求項１に記載のラベル印字装置。
【請求項３】
前記選択手段による前記ビットマップフォントの選択および前記判定手段での前記印字倍率の判定のための前記使用者の操作を受け付けるための画像を生成する生成手段と、
前記生成手段が生成した前記画像を表示する表示デバイスとを更に備え、
前記算出手段が算出したポイント数を表すように前記生成手段が生成した前記画像を前記表示デバイスで表示することによって、前記生成手段および前記表示デバイスによって前記報知手段としての機能を実現することを特徴とする請求項１または２に記載のラベル印字装置。
【請求項４】
前記表示デバイスの表示面に配置され、前記操作を受け付けるためのタッチセンサを更に備えることを特徴とする請求項３に記載のラベル印字装置。
【請求項５】
前記報知手段は、前記印字デバイスが印字する文字が使用される印字項目に関連付けられた規定ポイント数よりも前記算出手段が算出したポイント数が小さい場合に、そのことを前記使用者が認識可能とするように前記報知動作を行うことを特徴とする請求項１乃至４のいずれか一項に記載のラベル印字装置。
【請求項６】
ラベルに印字する印字デバイスと、
大きさが異なる複数種類のビットマップフォントを記憶する記憶デバイスと、
使用者に対する報知動作を行う報知デバイスと、
コンピュータとを具備したラベル印字装置の制御プログラムであって、
前記コンピュータを、
前記複数種類のビットマップフォントのうちの１つを選択する選択手段と、
印字倍率を判定する判定手段と、
印字対象となる文字を、前記選択手段が選択した種類のビットマップフォントを用い、前記判定手段が判定した印字倍率で拡大または縮小して前記ラベルに印字するよう前記印字デバイスを制御する印字制御手段と、
前記印字デバイスが印字する文字の大きさをポイント数として算出する算出手段と、
前記算出手段が算出したポイント数を使用者に報知するものとして前記報知動作を行うように前記報知デバイスを制御する報知制御手段のそれぞれとして機能させるための制御プログラム。
【発明の詳細な説明】
【技術分野】
【０００１】
本発明の実施形態は、ラベル印字装置およびその制御プログラムに関する。
【背景技術】
【０００２】
商品に関する情報を消費者に伝えるためのラベルを商品に貼付することは一般的に行われている。ラベルに表す項目としては、品名、原産地、保存方法、保存温度、加工日、添加物（食品添加物）、消費期限、単価、数量、あるいは価格などがある。
【０００３】
上記のようなラベルを印字するラベル印字装置では、ビットマップフォントが広く利用されている。
【０００４】
そしてこの種のラベル印字装置は、それぞれに大きさの異なる複数種類のビットマップフォントを記憶デバイスにそれぞれ記憶しておき、これら複数種類のビットマップフォントを選択的に使用して印字するものとなっている。さらにこの種のラベル印字装置は、使用者が指定した印字倍率でビットマップフォントを拡大または縮小することにより、より多くの大きさの文字を印字可能としている。
【先行技術文献】
【特許文献】
【０００５】
【特許文献１】特開平１１−１３００２９号公報
【発明の概要】
【発明が解決しようとする課題】
【０００６】
近年、ラベルにおける文字サイズが規定サイズ以上に制限されるケースがあり、しかも規定サイズがポイント数により定められることがある。具体的には、添加物を表すための文字の大きさは、原則として８ポイント以上とすることが食品衛生法および日本農林規格（ＪＡＳ）により定められている。
【０００７】
上記のラベル印字装置では、ビットマップフォントの大きさと印字倍率とにより実際に印字する文字の大きさが定まるが、ビットマップフォントの大きさは従来よりｍｍやドット数により、印字倍率は乗数によりそれぞれ表すことが一般的であることから、実際に印字される文字の大きさを使用者がポイント数として直感的に認識することが困難であった。
【０００８】
このような事情から、印字される文字のポイント数を使用者が容易に認識可能とすることが望まれていた。
【課題を解決するための手段】
【０００９】
実施形態のラベル印字装置は、印字デバイス、記憶デバイス、選択手段、判定手段、印字制御手段、算出手段および報知手段を備える。印字デバイスは、ラベルに印字する。記憶デバイスは、大きさが異なる複数種類のビットマップフォントを記憶する。選択手段は、複数種類のビットマップフォントのうちの１つを選択する。判定手段は、印字倍率を判定する。印字制御手段は、印字対象となる文字を、選択手段が選択した種類のビットマップフォントを用い、判定手段が判定した印字倍率で拡大または縮小してラベルに印字するよう印字デバイスを制御する。算出手段は、印字デバイスが印字する文字の大きさをポイント数として算出する。報知手段は、算出手段が算出したポイント数を使用者に報知するための報知動作を行う。
【図面の簡単な説明】
【００１０】
【図１】一実施形態に係るラベル印字装置の構成を示すブロック図。
【図２】規定数ファイルに記述される情報の模式図。
【図３】ラベル印字装置におけるラベルのフォーマットを設定するためのフォーマット編集処理に関するＣＰＵのフローチャート。
【図４】ラベル印字装置におけるラベルのフォーマットを設定するためのフォーマット編集処理に関するＣＰＵのフローチャート。
【図５】一例としてのＧＵＩ画像を示す図。
【図６】一例としてのＧＵＩ画像を示す図。
【発明を実施するための形態】
【００１１】
以下実施の形態の一例を図面を用いて説明する。
【００１２】
図１は本実施形態に係るラベル印字装置１の構成を示すブロック図である。ラベル印字装置１は、ＣＰＵ（central processing unit）１１、ＲＯＭ（read only memory）１２、ＲＡＭ（random access memory）１３、時計部１４、通信インターフェース（通信Ｉ／Ｆ）１５、キーボード１６、タッチパネル１７、印字デバイス１８、計量器１９およびシステムバス２０を含む。システムバス２０は、ＣＰＵ１１と、ＲＯＭ１２、ＲＡＭ１３、時計部１４および通信インターフェース１５とを接続する。またシステムバス２０は、図示しない入出力回路を介して、ＣＰＵ１１と、キーボード１６、タッチパネル１７、印字デバイス１８および計量器１９とを接続する。
【００１３】
コンピュータの中枢部分に相当するＣＰＵ１１は、プログラムに従い種々の情報演算処理を実行する。
【００１４】
上記コンピュータの記憶部分に相当するＲＯＭ１２は、上記プログラム等の固定的なデータを記憶する。ＲＯＭ１２が記憶するプログラムの１つは、後述するフォーマット編集処理について記述したフォーマット編集プログラムである。フォーマット編集処理は、ラベル印字装置１の動作を制御するための処理である。従ってフォーマット編集プログラムは、制御プログラムの１つである。ＲＯＭ１２が記憶するデータのいくつかは、それぞれにサイズが異なるビットマップフォントである。ＲＯＭ１２が記憶するデータの１つは、規定数ファイル１２ａである。
【００１５】
図２は規定数ファイル１２ａに記述される情報の模式図である。
【００１６】
規定数ファイル１２ａは、項目名と規定ポイント数とを関連付けて記述するデータレコードを少なくとも１つ含む。項目名は、ラベルに表す項目の１つを識別するための名称である。規定ポイント数は、関連付けられた項目名で識別される項目をラベルに印字する際の最小のポイント数である。
【００１７】
同じく上記コンピュータの記憶部分に相当するＲＡＭ１３は、ラベル印字データ等の可変的なデータを記憶する。
【００１８】
時計部１４は、現在の日付および時刻を計時する。
【００１９】
通信インターフェース１５は、図示しないＬＡＮ（Local Area Network）等のネットワークを介しての通信のための処理を行う。
【００２０】
キーボード１６は、テンキー、クリアキー、実行キー等のラベル発行に必要な種々のキーを配列したもので、使用者による指示を入力する。
【００２１】
タッチパネル１７は、表示デバイス１７ａおよびタッチセンサ１７ｂを含む。表示デバイス１７ａは、グラフィカルユーザインターフェース（ＧＵＩ）画像などの任意の画像を表示する。タッチセンサ１７ｂは、表示デバイス１７ａの表示面に重ねて配置されている。タッチセンサ１７ｂは、ＧＵＩに基づく使用者の指示を入力する。
【００２２】
印字デバイス１８は、ラベルにラベルデータを印字する。具体的には、印字デバイス１８は、帯状の台紙上に粘着層を介して等間隔でラベルが配置されたラベル用紙を搬送する。ラベル用紙の搬送経路途中には、印字ヘッドとプラテンとがラベル用紙を挟んで対向して配置されている。印字ヘッドは、ラベルにラベルデータを印字する。ラベルデータが印字されたラベルは、印字ヘッドよりも下流側で台紙から剥がれ、ラベル発行口から排出される。
【００２３】
計量器１９は、商品の重量を計測する。商品には、内容量に係らず価格が一定の定額商品と、内容量に応じて価格が変動する不定額商品とがある。このうちの不定額商品についての価格を算出するための情報を得るために計量器１９が使用される。
【００２４】
以上のように構成されたラベル印字装置１の譲渡は一般に、フォーマット編集プログラムがＲＯＭ１２に記憶された状態にて行われる。しかし、フォーマット編集プログラムがＲＯＭ１２に記憶されない状態のラベル印字装置１とフォーマット編集プログラムとが個別に譲渡されても良い。そして、ラベル印字装置１のＲＯＭ１２に、ユーザなどの操作に応じてフォーマット編集プログラムが書き込まれても良い。フォーマット編集プログラムの譲渡は、磁気ディスク、光磁気ディスク、光ディスク、半導体メモリなどのようなリムーバブルな記録媒体に記録して、あるいはネットワークを介して行うことができる。
【００２５】
なお、ＥＥＰＲＯＭ（electric erasable programmable read-only memory）のような書き換え可能な不揮発性の記憶デバイスをラベル印字装置１に設けて、この記憶デバイスにフォーマット編集プログラムを記憶しても良い。
【００２６】
次に以上のように構成されたラベル印字装置１の動作について説明する。
【００２７】
まずラベル印字装置１では、複数種類のビットマップフォントを使用者による指示に応じて適宜に利用し、このビットマップフォントを利用者の指定などにより定まる印字倍率で拡大または縮小した文字をラベルに印字するように、ＣＰＵ１１が印字デバイス１８を制御することによって基本的な印字動作が達成される。つまりＣＰＵ１１は、選択手段、判定手段および印字制御手段としての機能を備える。
【００２８】
なお、この印字動作は、従来よりある同種の印字装置におけるものと同様であって良いので、ここではその詳細な説明は省略する。
【００２９】
図３および図４はラベル印字装置１で印字するラベルのフォーマットを設定するためのフォーマット編集処理に関するＣＰＵ１１のフローチャートである。
【００３０】
キーボード１６またはタッチパネル１７での所定の操作によってフォーマット編集処理の開始が使用者によって要求されると、ＣＰＵ１１はＲＯＭ１２に記憶されたフォーマット編集プログラムに従ってフォーマット編集処理を開始する。なお、以下に説明する処理の内容は一例であって、同様な結果を得ることが可能な様々な処理を適宜に利用できる。
【００３１】
ステップＳａ１においてＣＰＵ１１は、フォーマット設定の対象とする印字項目と設定内容とをそれぞれ初期設定する。例えば、印字項目として「商品名」を設定する。設定項目として、文字種、文字倍率、文字角度および配置・文字数が存在する場合、例えば各項目として「漢字（４．０ｍｍ）」「縦：１．０倍、横：１．０倍」「０°、横書き」「自動改行、２６文字」をそれぞれ設定する。なお、文字種とは、ビットマップフォントの種類である。文字倍率は、印字文字のビットマップフォントに対する拡大または縮小の倍率（乗数）である。文字角度は、印字文字のビットマップフォントに対する回転角度と、基本的な向きとである。配置・文字数は、印字項目の内容となる文字列の配置と文字数とである。デフォルトの設定を具体的にどのような設定とするかは、設計者などにより予め定められれば良い。
【００３２】
ステップＳａ２においてＣＰＵ１１は、印字項目として設定された項目についての文字サイズに制限が有るか否かを確認する。具体的にはＣＰＵ１１は、印字項目として設定された項目の項目名が規定数ファイル１２ａに記述されているか否かを確認する。そして該当する項目名が規定数ファイル１２ａに含まれている場合にＣＰＵ１１はステップＳａ２においてＹＥＳと判定し、ステップＳａ３へと進む。該当する項目名が規定数ファイル１２ａには含まれていない場合にＣＰＵ１１は、ステップＳａ２にてＮＯと判定し、ステップＳａ４へと進む。
【００３３】
ステップＳａ３においてＣＰＵ１１は、上記の項目名に規定数ファイル１２ａにて関連付けられた規定ポイント数を変数Ｊにセットする。そしてこののちにＣＰＵ１１は、ステップＳａ５へと進む。
【００３４】
ステップＳａ４においてＣＰＵ１１は、予め定められた最小ポイント数Ｐｍｉｎを変数Ｊにセットする。最小ポイント数Ｐｍｉｎは、印字デバイス１８で印字する最小の文字のポイント数よりも小さな値として定める。つまり、選択している印字項目についての文字サイズの制限が無い場合には、最小ポイント数Ｐｍｉｎを変数Ｊにセットする。そしてこののちにＣＰＵ１１は、ステップＳａ５へと進む。
【００３５】
ステップＳａ５においてＣＰＵ１１は、現在の設定で印字される文字の縦方向のポイント数Ｐｖおよび横方向のポイント数Ｐｈをそれぞれ算出する。具体的には、１ポイントが１／７２インチであるから、選択されたビットマップフォントの縦方向および横方向のそれぞれの長さをＬｖ[mm]およびＬｈ[mm]と表し、縦方向および横方向のそれぞれの倍率をＲｖ[倍]およびＲｈ[倍]と表すならば、ポイント数Ｐｖ，Ｐｈはそれぞれ次式により求めることができる。
【００３６】
Ｐｖ＝Ｌｖ×Ｒｖ×７２÷２５．４
Ｐｈ＝Ｌｈ×Ｒｈ×７２÷２５．４
このようにＣＰＵ１１は、算出手段として機能する。なお、ポイント数Ｐｖ，Ｐｈの小数については、予め定められたルールに従って処理する。例えば、前式で求まる値が１０未満であるならば小数点第２位以下を切り捨て、１０以上であるならば小数点以下を切り捨てることとする。
【００３７】
ステップＳａ６においてＣＰＵ１１は、ポイント数Ｐｖが変数Ｊ以上であるか否かを確認する。そしてＣＰＵ１１は、ポイント数Ｐｖが変数Ｊ以上であるためにＹＥＳと判定したならばステップＳａ７へと進み、ポイント数Ｐｖが変数Ｊ未満であるためにＮＯと判定したならばステップＳａ８へと進む。なお、選択している印字項目についての文字サイズの制限がないために変数Ｊの値として最小ポイント数Ｐｍｉｎが設定されているならば、ポイント数Ｐｖが変数Ｊ以上になることはなく、ＣＰＵ１１はステップＳａ６にてＹＥＳと判定することになる。
【００３８】
ステップＳａ７においてＣＰＵ１１は、第１の表示色として標準色を設定する。第１の表示色は、後述するＧＵＩ画像において縦方向のポイント数を表す文字の表示色である。標準色は、例えば後述するＧＵＩ画像に含まれる文字の表示色として標準的な色である。標準色は典型的には黒であるが、設計者などによって任意に定められて良い。
【００３９】
ステップＳａ８においてＣＰＵ１１は、第１の表示色として警告色を設定する。警告色は、標準色とは異なる色である。警告色は典型的には赤であるが、設計者などによって任意に定められて良い。
【００４０】
つまりＣＰＵ１１は、後述するＧＵＩ画像において縦方向のポイント数を表す文字の表示色として、ポイント数Ｐｖが規定ポイント数以上であるならば標準色を設定するが、ポイント数Ｐｖが規定ポイント数未満となるならば警告色を設定する。そしてこのようにステップＳａ７またはステップＳａ８にて第１の表示色を設定したならば、ＣＰＵ１１はステップＳａ９へ進む。
【００４１】
ステップＳａ９においてＣＰＵ１１は、ポイント数Ｐｈが変数Ｊ以上であるか否かを確認する。そしてＣＰＵ１１は、ポイント数Ｐｈが変数Ｊ以上であるためにＹＥＳと判定したならばステップＳａ１０へと進み、ポイント数Ｐｈが変数Ｊ未満であるためにＮＯと判定したならばステップＳａ１１へと進む。なお、選択している印字項目についての文字サイズの制限がないために変数Ｊの値として最小ポイント数Ｐｍｉｎが設定されているならば、ポイント数Ｐｈが変数Ｊ以上になることはなく、ＣＰＵ１１はステップＳａ９にてＹＥＳと判定することになる。
【００４２】
ステップＳａ１０においてＣＰＵ１１は、第２の表示色として標準色を設定する。第２の表示色は、後述するＧＵＩ画像において横方向のポイント数を表す文字の表示色である。
【００４３】
ステップＳａ８においてＣＰＵ１１は、第２の表示色として警告色を設定する。
【００４４】
つまりＣＰＵ１１は、後述するＧＵＩ画像において横方向のポイント数を表す文字の表示色として、ポイント数Ｐｈが規定ポイント数以上であるならば標準色を設定するが、ポイント数Ｐｈが規定ポイント数未満となるならば警告色を設定する。そしてこのようにステップＳａ１０またはステップＳａ１１にて第２の表示色を設定したならば、ＣＰＵ１１はステップＳａ１２へ進む。
【００４５】
ステップＳａ１２においてＣＰＵ１１は、フォーマット設定のためのＧＵＩ画像を生成し、これを表示するように表示デバイス１７ａを制御する。
【００４６】
図５は一例としてのＧＵＩ画像５０を示す図である。
【００４７】
ＧＵＩ画像５０は、ステップＳａ１での初期設定に基づく。文字種が「漢字（４．０ｍｍ）」、文字倍率が「縦：１．０倍、横：１．０倍」であるので、ポイント数Ｐｖ，Ｐｈはともに１１ポイントである。そこでＧＵＩ画像５０は、文字倍率を表す「縦：１．０」および「横：１．０」とある文字列の下に、「（１１Ｐｔ）」および「（１１Ｐｔ）」なる文字列を配置してポイント数を表す。ポイント数Ｐｖ，Ｐｈはともに１１ポイントであり、規定ポイント数以上であるので、「（１１Ｐｔ）」なる２つの文字列の表示色はいずれも標準色である。
【００４８】
表示デバイス１７ａがＧＵＩ画像を表示している状態においてＣＰＵ１１は、図４に示すステップＳａ１３の待ち受け状態に移行する。
【００４９】
ステップＳａ１３の待ち受け状態においてＣＰＵ１１は、使用者による何らかの操作がなされるのを待ち受ける。そして、キーボード１６またはタッチセンサ１７ｂで何らかの操作が行われたならばＹＥＳと判定し、ステップＳａ１４へ進む。
【００５０】
ステップＳａ１４においてＣＰＵ１１は、上記の操作が印字項目を変更することを要求する操作であるか否かを確認する。そしてＹＥＳと判定したならばＣＰＵ１１は、ステップＳａ１５へ進む。
【００５１】
ステップＳａ１５においてＣＰＵ１１は、使用者による操作に基づいて新たに設定すべき印字項目を判定し、この印字項目を設定する。こののちにＣＰＵ１１は、ステップＳａ２以降の処理を前述と同様に繰り返す。
【００５２】
かくして、使用者の指示に応じて印字項目を設定し直した場合にＣＰＵ１１は、新たに印字項目として設定された項目についての文字サイズに制限が有るか否かを確認し、制限が有るならば上記の項目名に規定数ファイル１２ａにて関連付けられた規定ポイント数を変数Ｊにセットし直す。そしてＣＰＵ１１はこの上で、ステップＳａ５以降の処理を前述と同様に繰り返す。
【００５３】
ところで、上記の操作が印字項目を変更することを要求する操作ではないためにステップＳａ１４にてＮＯと判定したならばＣＰＵ１１は、ステップＳａ１６へ進む。
【００５４】
ステップＳａ１６においてＣＰＵ１１は、上記の操作が文字種を変更することを要求する操作であるか否かを確認する。そしてＹＥＳと判定したならばＣＰＵ１１は、ステップＳａ１７へ進む。
【００５５】
ステップＳａ１７においてＣＰＵ１１は、使用者による操作に基づいて新たに設定すべき文字種を判定し、この文字種を設定する。こののちにＣＰＵ１１は、ステップＳａ５以降の処理を前述と同様に繰り返す。
【００５６】
一方、上記の操作が文字種を変更することを要求する操作ではないためにステップＳａ１６にてＮＯと判定したならばＣＰＵ１１は、ステップＳａ１８へ進む。
【００５７】
ステップＳａ１８においてＣＰＵ１１は、上記の操作が文字倍率を変更することを要求する操作であるか否かを確認する。そして文字倍率を変更することを要求する操作であるためにＹＥＳと判定したならばＣＰＵ１１は、ステップＳａ１９へ進む。
【００５８】
ステップＳａ１９においてＣＰＵ１１は、使用者による操作に基づいて新たに設定すべき文字倍率を判定し、この文字倍率を設定する。こののちにＣＰＵ１１は、ステップＳａ５以降の処理を前述と同様に繰り返す。
【００５９】
かくして、文字種または文字倍率を設定し直した場合にＣＰＵ１１は、ステップＳａ５にてポイント数Ｐｖ，Ｐｈを算出し直した上で、ステップＳａ６〜Ｓａ１２を再度行う。
【００６０】
文字倍率を変更することを要求する操作ではないためにステップＳａ１８にてＮＯと判定したならばＣＰＵ１１は、その他の処理へ移行する。その他の処理とは、操作により指定される処理であり、例えばラベルへの印字処理が含まれる。
【００６１】
図６は一例としてのＧＵＩ画像６０を示す図である。
【００６２】
ＧＵＩ画像６０は、ステップＳａ１での初期設定から使用者による操作に応じて変更された設定に基づく。文字種が「漢字（２．０ｍｍ）」、文字倍率が「縦：１．０倍、横：１．５倍」であるので、ポイント数Ｐｖは５．６ポイント、ポイント数Ｐｈは８．５ポイントである。そこでＧＵＩ画像５０は、文字倍率を表す「縦：１．０」および「横：１．５」とある文字列の下に、「（５．６Ｐｔ）」および「（８．５Ｐｔ）」なる文字列を配置してポイント数を表す。ポイント数Ｐｈは８．５ポイントであり、規定ポイント数以上であるので、「（８．５Ｐｔ）」なる文字列の表示色は標準色である。ポイント数Ｐｖは５．６ポイントであり、規定ポイント数未満であるので、「（５．６Ｐｔ）」なる文字列の表示色は警告色である。
【００６３】
かくしてラベル印字装置１によれば、現状の設定で印字される文字の大きさをポイント数で表示するので、文字サイズの制限値がポイント数により規定されている場合に、その制限値と現状の設定で印字される文字の大きさとを使用者が容易に比較できる。つまり、ＧＵＩ画像を表示する動作が報知動作の一例であり、ＧＵＩ画像を生成する機能を有するＣＰＵ１１が生成手段に相当し、ＣＰＵ１１と表示デバイス１７ａとによって報知手段が実現されている。
【００６４】
またラベル印字装置１によれば、縦方向および横方向のそれぞれのポイント数Ｐｖ，Ｐｈを別々に算出し、これらポイント数Ｐｖ，Ｐｈをそれぞれ表示する。これにより、ポイント数Ｐｖ，Ｐｈのいずれか一方のみが規定ポイント数未満となってしまう設定状況にある場合に、その旨を使用者に的確に認識させることができる。
【００６５】
またラベル印字装置１によれば、選択している印字項目についての文字サイズの制限があり、現状の設定で印字される文字の大きさが規定ポイント数未満となるならば、該当するポイント数を表す文字列の表示色を標準色とは異なる警告色としている。これにより、現状の設定では文字サイズの制限が満たされないことを使用者に確実に認識させることが可能である。
【００６６】
またラベル印字装置１によれば、ポイント数Ｐｖ，Ｐｈをそれぞれ図５，６に示したＧＵＩ画像５０，６０のようなＧＵＩ画像にて表示する。これにより、現状の設定で印字される文字の大きさを、使用者による設定操作の一環として使用者に認識させることができる。従って、設定が不適切である場合に使用者は、そのままＧＵＩにおける操作を継続して設定を修正すれば良い。
【００６７】
この実施形態は、次のような種々の変形実施が可能である。
【００６８】
現状においては、文字サイズが制限されているのは添加物についてのみである。そこで、規定数ファイル１２ａの代わりに、規定ポイント数をそのままＲＯＭ１２に記憶しておいても良い。
【００６９】
規定ポイント数は、フォーマット編集プログラムに直接的に記述しておき、規定数ファイル１２ａを参照しないようにしても良い。
【００７０】
ＥＥＰＲＯＭのような書き換え可能な不揮発性の記憶デバイスをラベル印字装置１に設けて、この記憶デバイスに規定数ファイル１２ａを記憶しても良い。この場合には、規定数ファイル１２ａを更新することによって、項目名と規定ポイント数との関連付けを適宜に変更することが可能となる。あるいは、通信インターフェース１５によりネットワークを介して通信可能なサーバ等に規定数ファイル１２ａまたは規定数を記憶しておいても良い。
【００７１】
複数のビットマップフォントの全てが縦方向および横方向の長さが互いに等しいものであり、かつ縦方向および横方向に共通の倍率でのみ拡大または縮小を可能とするのであれば、印字する文字の縦方向および横方向のポイント数は必ず同じとなるので、縦方向および横方向のそれぞれについてのポイント数を個別に算出し、表示する必要はない。
【００７２】
ポイント数の表示の形態は任意であって良い。例えば、ＧＵＩ画像内において、ＧＵＩ画像５０，６０における表示位置とは異なる位置にポイント数を表示しても良い。あるいは、ＧＵＩ画像とは別のウィンドウをＧＵＩ画像に代えて、あるいはＧＵＩ画像に重ねて表示しても良い。また、表示デバイス１７ａとは別の表示デバイスを設けて、この別の表示デバイスにてポイント数を表示しても良い。
【００７３】
ポイント数が規定ポイント数以上であるか否かに拘わらずに表示色を同一としても良い。
【００７４】
ポイント数が規定ポイント数以上であるか否かは、例えばそれを表す文字の大きさを変えたり、規定ポイント数未満であるポイント数を表す文字を点滅させるなどの別の様々な方法によって区別可能としても良い。
【００７５】
ポイント数は、例えば音声メッセージの出力などの表示以外の報知動作によって使用者に報知しても良い。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１…ラベル印字装置、１１…ＣＰＵ、１２…ＲＯＭ、１２ａ…規定数ファイル、１３…ＲＡＭ、１４…時計部、１５…通信インターフェース、１６…キーボード、１７…タッチパネル、１７ｂ…タッチセンサ、１７ａ…表示デバイス、１８…印字デバイス、１９…計量器。
【図１】
2014151467.tif 000003
【図２】
2014151467.tif 000004
【図３】
2014151467.tif 000005
【図４】
2014151467.tif 000006
【図５】
2014151467.tif 000007
【図６】
2014151467.tif 000008